(57)【要約】【課題】プロテクタ本体に電線群を効率よく収容して位置決めすることができ、電線群の導体に応力が掛からないプロテクタおよびワイヤハーネスを提供する。【解決手段】底壁部５ａおよび底壁部５ａの両縁部に連なる一対の側壁部５ｂを有して、電線群２が挿通された可撓性チューブ３の端部を収容するプロテクタ本体５と、一対の側壁部５ｂの縁部間の開口を閉鎖可能な蓋体６と、プロテクタ本体５の少なくとも一方の側壁部５ｂの内面に設けられ、可撓性チューブ３の軸方向に延びるクリップ部７と、を備え、クリップ部７は、一端が側壁部５ｂの内面に支持され、他端に可撓性チューブ３の端部に挿入されて可撓性チューブ３を固定する爪部７ａを有する構成としている。【選択図】図１
2016171622.tif 000002
【特許請求の範囲】
【請求項１】
底壁部および前記底壁部の両縁部に連なる一対の側壁部を有して、電線群が挿通される可撓性チューブの端部を収容するプロテクタ本体と、
前記一対の側壁部の縁部間の開口を閉鎖可能な蓋体と、
前記一対の中の少なくとも一方の側壁部の内面に設けられ前記可撓性チューブの軸方向に延びるクリップ部と、を備え、
前記クリップ部は、一端が前記側壁部の内面に支持され、他端より前記可撓性チューブの端部に挿入され、かつ前記他端に前記可撓性チューブを固定する爪部を有することを特徴とするプロテクタ。
【請求項２】
前記クリップ部は、前記一端に前記他端とは反対側に突出する延長部を有し、
前記蓋体は、前記一対の側壁部の縁部間の前記開口を閉鎖するときに、前記延長部と前記側壁部との間の空隙に嵌まり込む蓋側凸部を有することを特徴とする請求項１に記載のプロテクタ。
【請求項３】
前記クリップ部は、前記一端に前記他端とは反対側に突出する延長部を有するとともに、前記延長部から前記プロテクタ本体の外方に向いて突出するクリップ側凸部と、を有し、
前記蓋体は、前記一対の側壁部の縁部間の前記開口を閉鎖するときに、前記クリップ側凸部が嵌まり込む蓋側凹部を有することを特徴とする請求項１に記載のプロテクタ。
【請求項４】
前記爪部は、前記可撓性チューブに形成された孔部に係合するように形成されたことを特徴とする請求項１ないし請求項３のいずれか１項に記載のプロテクタ。
【請求項５】
前記蓋体は、前記一対の中の少なくとも一方の側壁部にヒンジ部を介して連結して設けられたことを特徴とする請求項１ないし請求項４のいずれか１項に記載のプロテクタ。
【請求項６】
電線群と、前記電線群を被覆する可撓性チューブと、請求項１ないし請求項５のいずれか１項に記載のプロテクタと、を有し、
前記可撓性チューブは、前記プロテクタ本体に収容され、
前記爪部は、前記可撓性チューブの端部より内部に挿入されて前記可撓性チューブを固定していることを特徴とするワイヤハーネス。
【発明の詳細な説明】
【技術分野】
【０００１】
本発明は、プロテクタおよびワイヤハーネスに関する。
【背景技術】
【０００２】
従来、可撓性チューブにより保護された電線群を有するワイヤハーネスを、プロテクタに収容して固定するために、結束バンドもしくは粘着テープを用いてプロテクタに対して可撓性チューブを固縛する手法が採られている。また、断面が凹形状のプロテクタ本体に内部に複数のリブを設けて、ワイヤハーネスを位置決めするように構成したプロテクタが知られている（例えば、特許文献１参照）。
【０００３】
図７に示すように、特許文献１に記載されたプロテクタ１０１は、底壁部１０２ａおよび底壁部１０２ａの両縁部に連なって向き合う一対の側壁部１０２ｂを有するプロテクタ本体１０２と、各側壁部１０２ｂからプロテクタ本体１０２の中心に向けて交互に突出する複数のリブ１０３とを備えている。
【０００４】
プロテクタ１０１は、プロテクタ本体１０２の内部に収容されるワイヤハーネスとしての電線群１０４を、複数のリブ１０３の位置に合わせて屈曲させたうえ、このリブ１０３の先端部とリブ１０３の先端部に対峙する側壁部１０２ｂの内面とにより挟持している。
【先行技術文献】
【特許文献】
【０００５】
【特許文献１】特開２００４−１６６４５４号公報
【発明の概要】
【発明が解決しようとする課題】
【０００６】
しかしながら、上述のプロテクタ１０１は、リブ１０３に位置に合わせて電線群１０４を屈曲させているため、プロテクタ本体１０２の内部に電線群１０４を収容して位置決めする作業を効率よく行うことができないという問題があった。
【０００７】
また、プロテクタ１０１は、電線群１０４がリブ１０３によって押圧されることになるため、電線群１０４の屈曲部分において電線群１０４の導体に応力が掛かるという問題があった。
【０００８】
本発明は、上述のような課題を解決するためになされたもので、プロテクタ本体に電線群を効率よく収容して位置決めすることができ、電線群の導体に応力が掛からないプロテクタおよびワイヤハーネスを提供することを目的としている。
【課題を解決するための手段】
【０００９】
本発明に係るプロテクタは、上記目的達成のため、底壁部および前記底壁部の両縁部に連なる一対の側壁部を有して、電線群が挿通される可撓性チューブの端部を収容するプロテクタ本体と、前記一対の側壁部の縁部間の開口を閉鎖可能な蓋体と、前記一対の中の少なくとも一方の側壁部の内面に設けられ前記可撓性チューブの軸方向に延びるクリップ部と、を備え、前記クリップ部は、一端が前記側壁部の内面に支持され、他端より前記可撓性チューブの端部に挿入され、かつ前記他端に前記可撓性チューブを固定する爪部を有する構成である。
【００１０】
この構成により、本発明に係るプロテクタは、可撓性チューブの端部をプロテクタ本体に差し込んで、クリップ部の他端の爪部を可撓性チューブの端部に挿入し、可撓性チューブをクリップ部によってプロテクタ本体に固定する。次いで、一対の側壁部の縁部の間の開口を蓋体により閉塞して、可撓性チューブの端部をプロテクタ本体と蓋体とで周方向に取り囲むようにする。
【００１１】
このため、本発明に係るプロテクタは、電線群を屈曲させることなく、プロテクタ本体に効率よく収容して位置決めすることができ、電線群の導体に応力が掛かることがない。
【００１２】
上記プロテクタにおいて、前記クリップ部は、前記一端に前記他端とは反対側に突出する延長部を有し、前記蓋体は、前記一対の側壁部の縁部間の前記開口を閉鎖するときに、前記延長部と前記側壁部との間の空隙に嵌まり込む蓋側凸部を有する構成とすることが好ましい。
【００１３】
この構成により、本発明に係るプロテクタは、可撓性チューブの端部をプロテクタ本体に差し込んで、クリップ部の他端の爪部を可撓性チューブの端部に挿入し、可撓性チューブをクリップ部によってプロテクタ本体に固定する。次いで、一対の側壁部の縁部の間の開口を蓋体により閉塞して、可撓性チューブの端部をプロテクタ本体と蓋体とで周方向に取り囲むようにするとともに、プロテクタ本体の側壁部の内面とクリップ部の延長部との間の空隙に蓋体の蓋側凸部を嵌め込む。
【００１４】
このため、本発明に係るプロテクタは、クリップ部の揺動が抑制されて爪部が可撓性チューブの内面から離反する方向へ変位し難くなり、可撓性チューブをプロテクタ本体に確実に固定することができる。
【００１５】
上記プロテクタにおいて、前記クリップ部は、前記一端に前記他端とは反対側に突出する延長部を有するとともに、前記延長部から前記プロテクタ本体の外方に向いて突出するクリップ側凸部と、を有し、前記蓋体は、前記一対の側壁部の縁部間の前記開口を閉鎖するときに、前記クリップ側凸部が嵌まり込む蓋側凹部を有する構成とすることが好ましい。
【００１６】
この構成により、本発明に係るプロテクタは、可撓性チューブの端部をプロテクタ本体に差し込んで、クリップ部の他端の爪部を可撓性チューブの端部に挿入し、可撓性チューブをクリップ部によってプロテクタ本体に固定する。次いで、一対の側壁部の縁部の間の開口を蓋体により閉塞して、可撓性チューブの端部をプロテクタ本体と蓋体とで周方向に取り囲むようにするとともに、蓋体の蓋側凹部にクリップ部のクリップ側凸部を嵌め込む。
【００１７】
このため、本発明に係るプロテクタは、クリップ部の揺動が抑制されて爪部が可撓性チューブの内面から離反する方向へ変位し難くなり、可撓性チューブをプロテクタ本体に確実に固定することができる。
【００１８】
上記プロテクタにおいて、前記可撓性チューブに形成された孔部に係合するように形成された構成とすることが好ましい。
【００１９】
この構成により、本発明に係るプロテクタは、可撓性チューブの端部をプロテクタ本体に差し込んで、クリップ部の他端の爪部を可撓性チューブの端部に挿入するとともに孔部に係合させ、可撓性チューブをクリップ部によってプロテクタ本体に固定する。次いで、一対の側壁部の縁部の間の開口を蓋体により閉塞して、可撓性チューブの端部をプロテクタ本体と蓋体とで周方向に取り囲むようにする。
【００２０】
このため、本発明にプロテクタは、クリップ部の爪部が可撓性チューブの孔部に係合して、可撓性チューブをプロテクタ本体に確実に固定することができる。
【００２１】
上記プロテクタにおいて、前記蓋体は、前記一対の中の少なくとも一方の側壁部にヒンジ部を介して連結した構成とすることが好ましい。
【００２２】
この構成により、本発明に係るプロテクタは、プロテクタ本体と蓋体とヒンジ部を介して一体になっているため、プロテクタ本体、蓋体および可撓性チューブの相互の組み付け作業を迅速に行うことができる。
【００２３】
本発明に係るワイヤハーネスは、上記目的達成のため、電線群と、前記電線群を被覆する可撓性チューブと、上記のプロテクタと、を有し、前記可撓性チューブは、前記プロテクタ本体に収容され、前記爪部は、前記可撓性チューブの端部より内部に挿入されて前記可撓性チューブを固定している構成である。
【００２４】
この構成により、本発明に係るワイヤハーネスは、可撓性チューブの端部をプロテクタ本体に差し込んで、クリップ部の他端の爪部を可撓性チューブの端部に挿入し、可撓性チューブをクリップ部によってプロテクタ本体に固定する。次いで、一対の側壁部の縁部の間の開口を蓋体により閉塞して、可撓性チューブの端部をプロテクタ本体と蓋体とで周方向に取り囲むようにする。
【００２５】
このため、本発明に係るワイヤハーネスは、電線群を屈曲させることなく、プロテクタ本体に効率よく収容して位置決めすることができ、電線群の導体に応力が掛かることがない。
【発明の効果】
【００２６】
本発明によれば、プロテクタ本体に電線群を効率よく収容して位置決めすることができ、電線群の導体に応力が掛からないプロテクタおよびワイヤハーネスを提供することができる。
【図面の簡単な説明】
【００２７】
【図１】本発明の第１の実施の形態に係るワイヤハーネスの部分斜視図である。
【図２】本発明の第１の実施の形態に係るワイヤハーネスの軸方向視図であり、（ａ）は蓋体開放状態、（ｂ）は蓋体閉止状態を示している。
【図３】本発明の第２の実施の形態に係るワイヤハーネスの部分斜視図である。
【図４】本発明の第２の実施の形態に係るワイヤハーネスの軸方向視図であり、（ａ）は蓋体開放状態、（ｂ）は蓋体閉止状態を示している。
【図５】本発明の第３の実施の形態に係るワイヤハーネスの部分斜視図である。
【図６】本発明の第３の実施の形態に係るワイヤハーネスの軸方向視図であり、（ａ）は蓋体開放状態、（ｂ）は蓋体閉止状態を示している。
【図７】従来のワイヤハーネスの概略構成図である。
【発明を実施するための形態】
【００２８】
以下、本発明の実施の形態に係るプロテクタおよびワイヤハーネスについて、図面を参照して説明する。
【００２９】
（第１の実施の形態）
図１、図２に示すように、本実施の形態に係るワイヤハーネス１は、電線群２と、電線群２を挿通した可撓性チューブ３と、プロテクタ４と、を有する。可撓性チューブ３は、ポリ塩化ビニル（ＰＶＣ）もしくはポリエチレン（ＰＥ）等の樹脂材料により成形されている。
【００３０】
プロテクタ４は、底壁部５ａおよび底壁部５ａの両縁部に連なる一対の側壁部５ｂを有して、電線群２が挿通された可撓性チューブ３の端部を収容するプロテクタ本体５と、一対の側壁部５ｂの縁部間の開口５ｃを閉鎖可能な蓋体６と、少なくとも一方の側壁部５ｂの内面に設けられ、可撓性チューブ３の軸方向に延びるクリップ部７と、を備えている。プロテクタ４は、例えばポリプロピレン（ＰＰ）等の樹脂材料により成形される。
【００３１】
蓋体６は、一方の縁部が側壁部５ｂの縁部にヒンジ部８を介して一体に連結されている。
【００３２】
蓋体６でプロテクタ本体５の開口５ｃを閉じると、ロック具１３によって固定されるようになっている。このロック具１３は、プロテクタ本体５の側壁部５ｂの外面側に形成された凹状のロック部１３ａと、蓋体６の縁部に形成されたフック状のロック部１３ｂとからなる。ロック具１３は、蓋体６によって一対の側壁部５ｂの間の開口５ｃが閉塞されたときに互いに係合し、蓋体６をプロテクタ本体５に拘束する。
【００３３】
プロテクタ本体５と蓋体６とは、ヒンジ部８を用いた連結構造とはしないで、上記のロック具１３を備えてもよい。すなわち、プロテクタ本体５と蓋体６とは、分離可能な構成であってもよい。
【００３４】
クリップ部７は、一端が側壁部５ｂの内面に支持され、他端が可撓性チューブ３の端部に挿入され、他端に可撓性チューブ３を固定する爪部７ａを有している。爪部７ａは、可撓性チューブ３に形成された孔部３ａに係合するように形成されている。
【００３５】
孔部３ａは、可撓性チューブ３を長尺状態から所定長さに切断した後に、可撓性チューブ３の端部が収容されるプロテクタ本体５の内部のクリップ部７の爪部７ａの位置に合わせて穿設することが好ましい。
【００３６】
上述したプロテクタ本体５、蓋体６、クリップ部７およびヒンジ部８は、樹脂材料によって一体に形成されている。
【００３７】
本実施の形態に係るプロテクタ４は、可撓性チューブ３の端部をプロテクタ本体５に差し込んで、クリップ部７の他端の爪部７ａを可撓性チューブ３の端部に挿入するとともに孔部３ａに係合させ、可撓性チューブ３をクリップ部７によってプロテクタ本体５に固定する。
【００３８】
本実施の形態に係るプロテクタ４は、一対の側壁部５ｂの縁部の間の開口５ｃを蓋体６により閉塞して、可撓性チューブ３の端部をプロテクタ本体５と蓋体６とで周方向に取り囲み、ワイヤハーネス１を構成する。
【００３９】
このため、本実施の形態に係るワイヤハーネス１およびプロテクタ４は、電線群２を屈曲させることなく、プロテクタ本体５に効率よく収容して位置決めすることができ、電線群２の導体に応力が掛かることがない。
【００４０】
さらに、本実施の形態に係るワイヤハーネス１およびプロテクタ４は、クリップ部７の爪部７ａが可撓性チューブ３の孔部３ａに係合して、可撓性チューブ３をプロテクタ本体５に確実に固定することができる。
【００４１】
本実施の形態に係るワイヤハーネス１およびプロテクタ４は、プロテクタ本体５、蓋体６、クリップ部７およびヒンジ部８を一体に形成したので、プロテクタ本体５、蓋体６および可撓性チューブ３の相互の組み付け作業を迅速に行うことができる。
【００４２】
可撓性チューブ３とクリップ部７とは、可撓性チューブ３に孔部３ａを形成させずに、可撓性チューブ３の内面と爪部７ａとの間の摩擦によって可撓性チューブ３をプロテクタ本体５に固定することも可能である。また、プロテクタ本体５に複数のクリップ部７を設けて、複数のクリップ部７によって可撓性チューブ３をプロテクタ本体５に固定することも可能である。
【００４３】
（第２の実施の形態）
図３、図４に示すように、本実施の形態に係るワイヤハーネス１Ａは、電線群２を挿通した可撓性チューブ３と、プロテクタ４Ａと、を有している。図中、図１、図２と同一の符号を付した部分は、同一物であるので詳細な説明を省略する。
【００４４】
プロテクタ４Ａは、電線群２が挿通された可撓性チューブ３の端部を収容するプロテクタ本体５と、一対の側壁部５ｂの縁部間の開口５ｃを閉鎖可能な蓋体９と、プロテクタ本体５の少なくとも一方の側壁部５ｂの内面に設けられ、可撓性チューブ３の軸方向に延びるクリップ部１０と、を備えている。
【００４５】
蓋体９は、一方の縁部が一方の側壁部５ｂの縁部にヒンジ部８を介して一体に連結されている。プロテクタ本体５と蓋体９には、第１の実施の形態において備えているロック具１３が同様に備えられている。
【００４６】
クリップ部１０は、一端が側壁部５ｂの内面に支持され、他端に可撓性チューブ３の端部に挿入されて可撓性チューブ３を固定する爪部１０ａと、一端から爪部１０ａの反対側に向けて突出するとともに、側壁部５ｂの内面に対して空隙１０ｂを形成する延長部１０ｃと、を有している。爪部１０ａは、可撓性チューブ３の内面に押し当てられるようになっている。
【００４７】
蓋体９は、一対の側壁部５ｂの間の開口５ｃを閉鎖したときに、一方の側壁部５ｂの内面と延長部１０ｃとの間の空隙１０ｂに嵌まり込む蓋側凸部９ａを有している。
【００４８】
上述したプロテクタ本体５、蓋体９、クリップ部１０およびヒンジ部８は、樹脂材料によって一体に形成されている。
【００４９】
本実施の形態に係るプロテクタ４Ａは、可撓性チューブ３の端部をプロテクタ本体５に差し込んで、クリップ部１０の他端の爪部１０ａを可撓性チューブ３の端部に挿入して可撓性チューブ３の内面に押し当て、可撓性チューブ３をクリップ部１０によってプロテクタ本体５に固定する。
【００５０】
本実施の形態に係るプロテクタ４Ａは、一対の側壁部５ｂの縁部の間の開口５ｃを蓋体９により閉塞して、可撓性チューブ３の端部をプロテクタ本体５と蓋体９とで周方向に取り囲み、ワイヤハーネス１Ａを構成する。
【００５１】
このため、本実施の形態に係るワイヤハーネス１Ａおよびプロテクタ４Ａは、電線群２を屈曲させることなく、プロテクタ本体５に効率よく収容して位置決めすることができ、電線群２の導体に応力が掛かることがない。
【００５２】
さらに、本実施の形態に係るワイヤハーネス１Ａおよびプロテクタ４Ａは、一方の側壁部５ｂの内面とクリップ部１０の延長部１０ｃとの間の空隙１０ｂに蓋体９の蓋側凸部９ａが嵌め込まれる。
【００５３】
このため、本実施の形態に係るワイヤハーネス１Ａおよびプロテクタ４Ａは、クリップ部１０の揺動が抑制されて爪部１０ａが可撓性チューブ３の内面から離反する方向へ変位し難くなり、可撓性チューブ３をプロテクタ本体５に確実に固定することができる。
【００５４】
本実施の形態に係るワイヤハーネス１Ａおよびプロテクタ４Ａは、プロテクタ本体５、蓋体９、クリップ部１０およびヒンジ部８を一体に備えているので、プロテクタ本体５、蓋体９および可撓性チューブ３の相互の組み付け作業を迅速に行うことができる。
【００５５】
また、可撓性チューブ３とクリップ部１０とは、可撓性チューブ３に孔部３ａ（図１参照）を形成させて、クリップ部１０の爪部１０ａを孔部３ａに係合させ、可撓性チューブ３をクリップ部１０によってプロテクタ本体５に固定することも可能である。また、プロテクタ本体５に複数のクリップ部１０を設けて、複数のクリップ部１０によって可撓性チューブ３をプロテクタ本体５に固定することも可能である。
【００５６】
（第３の実施の形態）
図５、図６に示すように、本実施の形態に係るワイヤハーネス１Ｂは、電線群２を挿通した可撓性チューブ３と、プロテクタ４Ｂと、を有している。図中、図１、図２と同一の符号を付した部分は、同一物であるので詳細な説明を省略する。
【００５７】
プロテクタ４Ｂは、電線群２が挿通された可撓性チューブ３の端部を収容するプロテクタ本体５と、一対の側壁部５ｂの縁部間の開口５ｃを閉鎖可能な蓋体１１と、プロテクタ本体５の少なくとも一方の側壁部５ｂの内面に設けられ、可撓性チューブ３の軸方向に延びるクリップ部１２と、を備えている。
【００５８】
蓋体１１は、一方の縁部が一方の側壁部５ｂの縁部にヒンジ部８を介して一体に連結されている。プロテクタ本体５と蓋体９には、第１の実施の形態において備えているロック具１３が同様に備えられている。
【００５９】
クリップ部１２は、一端が側壁部５ｂの内面に支持され、他端に可撓性チューブ３の端部に挿入されて可撓性チューブ３を固定する爪部１２ａと、一端から爪部１２ａの反対側に向けて突出するとともに、側壁部５ｂの内面に対して空隙１２ｂを形成する延長部１２ｃと、延長部１２ｃから底壁部５ａの反対側に向けて突出するクリップ側凸部１２ｄと、を有している。爪部１２ａは、可撓性チューブ３の内面に押し当てられるようになっている。
【００６０】
蓋体１１は、一対の側壁部５ｂの間の開口５ｃが蓋体１１により閉鎖されたときに、クリップ部１２のクリップ側凸部１２ｄが嵌まり込む蓋側凹部１１ａを有している。
【００６１】
上述したプロテクタ本体５、蓋体１１、クリップ部１２およびヒンジ部８は、樹脂材料によって一体に形成されている。
【００６２】
本実施の形態に係るプロテクタ４Ｂは、可撓性チューブ３の端部をプロテクタ本体５に差し込んで、クリップ部１２の他端の爪部１２ａを可撓性チューブ３の端部に挿入して可撓性チューブ３の内面に押し当て、可撓性チューブ３をクリップ部１２によってプロテクタ本体５に固定する。
【００６３】
本実施の形態に係るプロテクタ４Ｂは、一対の側壁部５ｂの縁部の間の開口５ｃを蓋体１１により閉塞して、可撓性チューブ３の端部をプロテクタ本体５と蓋体１１とで周方向に取り囲み、ワイヤハーネス１Ｂを構成する。
【００６４】
このため、本実施の形態に係るワイヤハーネス１Ｂおよびプロテクタ４Ｂは、電線群２を屈曲させることなく、プロテクタ本体５に効率よく収容して位置決めすることができ、電線群２の導体に応力が掛かることがない。
【００６５】
さらに、本実施の形態に係るワイヤハーネス１Ｂおよびプロテクタ４Ｂは、クリップ部１２のクリップ側凸部１２ｄが蓋体１１の蓋側凹部１１ａに嵌まり込む。
【００６６】
このため、本実施の形態に係るワイヤハーネス１Ｂおよびプロテクタ４Ｂは、クリップ部１２の揺動が抑制されて爪部１２ａが可撓性チューブ３の内面から離反する方向へ変位し難くなり、可撓性チューブ３をプロテクタ本体５に確実に固定することができる。
【００６７】
本実施の形態に係るワイヤハーネス１Ｂおよびプロテクタ４Ｂは、プロテクタ本体５、蓋体１１、クリップ部１２およびヒンジ部８を一体に形成したので、プロテクタ本体５、蓋体１１および可撓性チューブ３の相互の組み付け作業を迅速に行うことができる。
【００６８】
また、可撓性チューブ３とクリップ部１２とは、可撓性チューブ３に孔部３ａ（図１参照）を形成させて、クリップ部１２の爪部１２ａを孔部３ａに係合させ、可撓性チューブ３をクリップ部１２によってプロテクタ本体５に固定することも可能である。また、プロテクタ本体５に複数のクリップ部１０を設けて、複数のクリップ部１０によって可撓性チューブ３をプロテクタ本体５に固定することも可能である。
【００６９】
以上説明したように、本発明に係るプロテクタおよびワイヤハーネスは、プロテクタ本体に電線群を効率よく収容して位置決めすることができ、電線群の導体に応力が掛からないという効果を有し、プロテクタおよびワイヤハーネス全般に有用である。
【符号の説明】
【００７０】
１，１Ａ，１Ｂ  ワイヤハーネス
２  電線群
３  可撓性チューブ
３ａ  孔部
４，４Ａ，４Ｂ  プロテクタ
５  プロテクタ本体
５ａ  底壁部
５ｂ  側壁部
５ｃ  開口
６，９，１１  蓋体
７，１０，１２  クリップ部
７ａ，１０ａ，１２ａ  爪部
８  ヒンジ部
９ａ  蓋側凸部
１０ｂ，１２ｂ  空隙
１０ｃ，１２ｃ  延長部
１１ａ  蓋側凹部
１２ｄ  クリップ側凸部
【図１】
2016171622.tif 000003
【図２】
2016171622.tif 000004
【図３】
2016171622.tif 000005
【図４】
2016171622.tif 000006
【図５】
2016171622.tif 000007
【図６】
2016171622.tif 000008
【図７】
2016171622.tif 000009